(57)【要約】  【課題】  口金へのランプの装着が容易で、しかも装着されたランプの中心電極と口金の中心電極との接触が一層確実となり、安定した状態で口金に保持することができる安全な防爆型ランプソケットを提供する。  【解決手段】  ランプソケット１は、ランプ２の口金部５を収容すべく開口部６内に配設された円筒カップ状の口金部８と、この口金部８の底面に口金部８と共に絶縁状態で取付けた中心電極１０とを絶縁性の合成樹脂によりハウジング４として一体的に成形し、ランプ２の口金部５には半径方向両側に突出する一対の突状片３２を有すると共に、ランプソケット１の口金部８には上記突状片３２に係合可能な凹状係合部２８を凹設し、これら凹状係合部２８は、上記突状片３２に係合して軸方向に案内する一対の案内溝２４ａ，２４ｂと、両案内溝２４ａ，２４ｂ端部の片側に連通形成された係合溝２６ａ，２６ｂとから成り、ランプ２の中心電極３０が復帰弾力を有する電極として構成されたランプソケット１の中心電極１０により押圧付勢されるように構成した。【選択図】    図１
0003104062.tif 000002
【実用新案登録請求の範囲】
【請求項１】
ランプ２の周辺電極をなす口金部５を装着する開口が形成され、該開口内に上記ランプ２の口金部５下端に設けられた中心電極３０と接触する中心電極１０が設けられた防爆型ランプソケット１に於いて、
上記ランプソケット１は、上記ランプ２の口金部５を収容すべく開口部６内に配設された円筒カップ状の口金部８と、該口金部８の底面に口金部８と共に絶縁状態で取付けた復帰弾力を有する中心電極１０とを絶縁性の合成樹脂によりハウジング４として一体的にシールド成形し、上記ランプ２の口金部５には、中心軸に対し半径方向両側に突出する一対の突状係合部３２を有すると共に、上記ランプソケット１の口金部８には、上記両突状係合部３２に係合可能に凹設された一対の点対称構造の凹状係合部２８を有し、該凹状係合部２８は、上記突状係合部３２を開口側から軸方向に案内する一対の案内溝２４ａ，２４ｂと、上記両軸方向案内溝２４ａ，２４ｂ端部の片側に連通形成された横方向の係合溝２６ａ，２６ｂとから成り、上記口金部８に挿入されたランプ２の一方向回転により上記係合溝２６ａ，２６ｂに両突状係合部３２が係合した状態で、上記ランプ２の中心電極３０がランプソケット１の中心電極１０により押圧付勢されるように構成したことを特徴とする防爆型ランプソケット。
【請求項２】
ランプソケット１の中心電極１０は、一方のリード線１２ａに電気的導通性を有する固定軸１６により上記ランプソケット１の口金部８底面に該口金部８と共に絶縁板１４，１５を介して固定されるコイルバネ２０と、該コイルバネ２０の上端に上記ランプ２の中心電極３０に接触すべく対応して装着される有底のキャップ体とから構成されている請求項１に記載の防爆型ランプソケット。
【請求項３】
上記キャップ体２２は、外周からのカシメ加工により内壁に形成される突状により上記コイルバネ２０の上端外周に係合保持されるように構成されている請求項２に記載の防爆型ランプソケット。
【請求項４】
上記キャップ体２２’は、略矩形状に形成された横長板３５ａと、該横長板３５ａの長手方向一側に円形板３５ｂを一体的に突設して展開金属板３５を形成し、上記横長板３５ａを円筒状に形成してこれを上記コイルバネ２０の上端内周に挿嵌した後、上記円形板３５ｂを円筒軸に対し直角に折り曲げてコイルバネ２０上端に当接し上記中心電極３０との接触面となる蓋板３８として形成されている請求項２に記載の防爆型ランプソケット。
【考案の詳細な説明】
【技術分野】
【０００１】
本考案は、ランプソケットに係り、特に冷蔵庫内等に設置される防爆型ランプソケットの改良に関する。
【背景技術】
【０００２】
冷蔵庫内等に設置されるランプ及びソケットは、特殊な使用条件があるためそれぞれ構造、寸法などが規格に該当したものとして年々改良された製品が生産されている。
【０００３】
例えばＶＥＤ規格では、ソケット内にランプを斜めに挿入した状態でテストフィンガーが口金部に接触しない寸法が規定されており、このため、口金部をソケット内に深く挿入した構造にすると全長が長くなり小型化が困難となることから、テストフィンガーが口金部に接触しない程度に全長を短縮すると口金部の有効長さが短くなるためランプを安定状態で保持することが困難となり、傾斜したまま挿入され易く周辺端子となる口金部と中心電極との接触不良となる問題を有していた。
【０００４】
このような問題点を解決したランプソケットとして、上記口金部の有効長さの不足分を補うために、口金部の下方にランプの周辺電極と接触する口金と同じ機能を有する復帰弾力を有する一対のサイド接触片を立設することで、安全で且つ安定状態にランプを保持することができるものが開発されている（特許文献１参照）。
【０００５】
一方において、冷蔵庫に使用されているフロンガスは、地球環境保全の面から地球温暖化の一因となっている理由によりその使用が規制されている。具体的には、２００１年６月１５日に成立した（フロン回収破壊法）が業務用冷凍空調器では２００２年４月１日から、また自動車用エアコンでは２００２年１０月１日より施行されている。
【０００６】
モントリオール議定書締約内容からも、規制スケジュールから特定フロン（ＣＦＣ５種）は日本では既に全廃、ハロン、その他のＣＦＣ、四塩化炭素、１．１．１・トリクロロエタンも既に全廃されている。
【０００７】
今、使用されている古いカーエアコンに冷媒として入っているＲ１２（ＣＦＣ）は、既に生産されていないが、冷蔵庫などではＨＣＨＣ（Ｒ−２２）が２００２年より「消費規制」がかかってきており、現在はＨＦＣ−１３４ａが代替フロンとなっている。
【０００８】
しかし、京都議定書では、そのＨＦＣ−１３４ａも２００４年から削減開始となってきており、「ノンフロン冷蔵庫」が販売されている通り、ＨＣ系（炭化水素＝イソブタン、ブタン、プロパン、シクロプロパン等）へ移行するのは確実だと思われる。
【０００９】
このようなノンフロンガスは、エネルギー効率的には現状のフロンと同程度、あるいはそれ以上になるはずであるが、可燃性克服のための「特別使用ガス」と言うこともあって、効率低下も考えられるが、最高でも１５％程度の低下までのようである。
【００１０】
ノンフロンガスは、可燃性を有するが実際漏れがあっても、空気との混合比が可燃範囲であり発火点が５００℃以上であることから、火種があった場合にそれらの条件が全部適合して始めて発火するので、冷蔵庫のガスが全部抜けてもその部屋の大きさを考慮すれば微々たる量であり、混合比が薄すぎるため通常考えられるプロパンガス爆発のような火災は起こり得ないとされている。
【００１１】
ところで、上記のように開発された冷蔵庫内用のランプソケットは、図７（ａ）、（ｂ）に示すように絶縁性を有する合成樹脂などで周辺端子となる口金がハウジングと一体的にモールド成形されており、内周壁にランプの雄ねじ部３０５と螺合する雌ねじ部３０６を形成した口金の開口内底面には、導電性を有するカップ状の環状保持体３１２が配置されている。
【００１２】
環状保持体３１２の対面する内壁には、コ字状に折曲形成した帯状のサイド接触片３１５ａ，３１５ｂから成る周辺端子３１５が立上げられ、ランプの口金端部周縁に接触する接触子３１６ａ，３１６ｂとして形成されている。
【００１３】
この環状保持体３１２の中心底面には、周辺端子３１５とは電気的に絶縁状態で中心電極３１４が保持されており、この中心電極３１４に口金に螺着したランプの中心電極３０７が接触することで通電しランプが点灯するようになっている。
【００１４】
【特許文献１】特開２００２―２１６９２０号公報（段落００１１〜００１４，図２）
【考案の開示】
【考案が解決しようとする課題】
【００１５】
しかしながら、上記のランプソケットは、口金の内周壁に形成された雌ねじ部３０６にランプの雄ねじ部３０５を螺合して取付ける構造が採用されているため、有効長さの短い口金の雌ねじ部３０６ではランプの雄ねじ部３０５が緩む可能性を有している。
【００１６】
これによって、口金の中心電極３１４とランプの中心電極３０７との間に図５（ｂ）に示すように隙間Ｘが形成されるとそこから火花が発生し、ノンフロンガスが庫内に漏れて充満した場合にたまたまそれらが発火条件に全部適合した際に引火する原因となる問題が生じる。
【００１７】
本考案は、このような問題点に着目してなされたもので、口金へのランプの装着が容易で、しかも装着されたランプの中心電極と口金の中心電極との接触が一層確実となり、安定した状態で口金に保持することができる安全な防爆型ランプソケットを提供することを目的とする。
【課題を解決するための手段】
【００１８】
上記の目的を解決するために、本考案の請求項１に記載の防爆型ランプソケットは、ランプ２の周辺電極をなす口金部５を装着する開口が形成され、該開口内に上記ランプ２の口金部５下端に設けられた中心電極３０と接触する中心電極１０が設けられた防爆型ランプソケット１に於いて、
上記ランプソケット１は、上記ランプ２の口金部５を収容すべく開口部６内に配設された円筒カップ状の口金部８と、該口金部８の底面に口金部８と共に絶縁状態で取付けた復帰弾力を有する中心電極１０とを絶縁性の合成樹脂によりハウジング４として一体的にシールド成形し、上記ランプ２の口金部５には、中心軸に対し半径方向両側に突出する一対の突状係合部３２を有すると共に、上記ランプソケット１の口金部８には、上記両突状係合部３２に係合可能に凹設された一対の点対称構造の凹状係合部２８を有し、該凹状係合部２８は、上記突状係合部３２を開口側から軸方向に案内する一対の案内溝２４ａ，２４ｂと、上記両案内溝２４ａ，２４ｂ端部の片側に連通形成された横方向の係合溝２６ａ，２６ｂとから成り、上記口金部８に挿入されたランプ２の一方向回転により上記係合溝２６ａ，２６ｂに両突状係合部３２が係合した状態で、上記ランプ２の中心電極３０がランプソケット１の中心電極１０により押圧付勢されるように構成したことを特徴とする防爆型ランプソケットである。
上記の防爆型ランプソケットによれば、ランプ２をハウジング４と一体成形された口金部８に装着するに際し、ランプ口金部５から半径方向両側に突出した一対の突状係合部３２をランプソケット口金部８の一対の案内溝２４ａ，２４ｂに係合してランプ２の中心電極３０とランプソケット口金部８の中心電極１０とが押圧接触するまで挿入する。そこで、ランプ２を一方向に回転させて突状係合部３２を係合溝２６ａ，２６ｂに係合した状態で人為的に開放すると、ランプ２は、その中心電極３０がランプソケット１の中心電極１０の付勢力により押圧された状態で係合溝２６ａ，２６ｂに係合し一対の突状片３２を介して保持される。
【００１９】
本考案の請求項２に記載の防爆型ランプソケットは、ランプソケット１の中心電極１０が、一方のリード線１２ａに電気的導通性を有する固定軸１６により上記ランプソケット１の口金部８底面に該口金部８と共に絶縁板１４，１５を介して固定されるコイルバネ２０と、該コイルバネ２０の上端に上記ランプ２の中心電極３０に接触すべく対応して装着される有底のキャップ体とから構成されている防爆型ランプソケットである。
上記の防爆型ランプソケットによれば、コイルバネ２０の上端に装着された有底のキャップ体は、ランプソケット１に装着されるランプ２の中心電極３０がキャップ体の底面を介して押圧付勢される。
【００２０】
本考案の請求項３に記載の防爆型ランプソケットは、上記キャップ体２２が、外周からのカシメ加工により内壁に形成される突状により上記コイルバネ２０の上端外周に係合保持されるように構成されている防爆型ランプソケットである。
上記の防爆型ランプソケットによれば、コイルバネ２０の上端に装着したキャップ体２２は、外周からのカシメ加工により内壁に形成される突状により係合保持される。
【００２１】
本考案の請求項４に記載の防爆型ランプソケットは、上記キャップ体２２’が、略矩形状に形成された横長板３５ａと、該横長板３５ａの長手方向一側に円形板３５ｂを一体的に突設して展開金属板３５を形成し、上記横長板３５ａを円筒状に形成してこれを上記コイルバネ２０の上端内周に挿嵌した後、上記円形板３５ｂを円筒軸に対し直角に折り曲げてコイルバネ２０上端に当接し上記中心電極３０との接触面となる蓋板３８として形成されている防爆型ランプソケットである。
上記の防爆型ランプソケットによれば、展開金属板３５から形成された円筒部をコイルバネ２０の上端内周に挿嵌した後、円形板３５ｂを円筒軸に対し直角に折り曲げてコイルバネ２０上端に当接させた状態でキャップ体２２’を装着する。
【考案の効果】
【００２２】
本考案は以下の効果を奏する。
【００２３】
請求項１に記載の考案によれば、ランプソケットの開口側から挿入されたランプが、軸方向の移動と所定方向への回転による単純動作によって装着されると共に、ランプの中心電極がランプソケット口金の中心電極に押圧付勢された状態で係合保持されるので、ランプの中心電極と口金の中心電極との接触が一層確実となり、火花などの発生を防止し安全性を向上することが可能となる。
【００２４】
請求項２に記載の考案によれば、ランプソケットに装着されるランプの中心電極がキャップ体の底面を介して押圧付勢されるので、ランプの中心電極の位置が中心に一致しない場合でも、確実に接触し押圧力を有効に伝達することができる。
【００２５】
請求項３に記載の考案によれば、接合材または接合部材を用いずに、内壁に形成される突状によりキャップ体をコイルバネの上端外周に確実に係合保持することができる。
【００２６】
請求項４に記載の考案によれば、筒体の直径が弾性変形可能であると共に直角に折り曲げた円形板がコイルバネ２０上端に当接保持されるので、コイルバネ上端への装着作業が容易となる。
【考案を実施するための最良の形態】
【００２７】
本考案の実施例を以下に説明する。
【実施例１】
【００２８】
本考案の実施例を図面に基づいて説明すると、先ず図1は本考案の実施例１におけるランプが装着された防爆型ランプソケットの断面図、図２はランプが装着される前の状態を示す防爆型ランプソケットの断面図、図３はランプの口金部とランプソケットの口金部との関係を示す斜視図であり、図４は装着されるランプ口金部の突状係合部とランプソケット口金部の凹状係合部との関係を示し、（ａ）は側面図、（ｂ）は（ａ）のＡ−Ａ断面図である。
【００２９】
先ず、図1には本考案の実施例１としての防爆型ランプソケットが示されており、この防爆型ランプソケット１（以下ランプソケットと称する）は、ランプ２の口金部５を収容すべく開口部６内に配設された円筒カップ状の口金部８と、口金部８の底面にこの口金部８と共に絶縁状態で取付けた中心電極１０とを絶縁性の合成樹脂によりハウジング４として一体的にシールド成形されている。
【００３０】
ハウジング４の底面には、陽極側の電極に接続されるリード線１２ａと、陰極側の電極に接続されるリード線１２ｂが絶縁性の合成樹脂で一体的にモールド成形されており、一方のリード線１２ａの端部は、ランプソケット１の口金部８底面の開口内周縁に突設される縁片の両面を挟む２枚の絶縁板１４，１５を中央で挿通連結した固定軸１６の端部に半田１８を介して接続されており、他方のリード線１２ｂの端部は、ランプソケット１の口金部８の下方外周に半田１８を介して接続されている。
【００３１】
ランプソケット１の口金部８底面の絶縁板１５を挿通して口金部８内部に臨む固定軸１６の上端には、中心電極１０が取付けられている。この中心電極１０は、固定軸１６の上端に固定されるコイルバネ２０と、このコイルバネの上端外周に底面を上にして装着される有底の円筒状キャップ体２２とから構成されており、このキャップ体２２は、外周からのカシメ加工により内周壁に形成されるリング状の突状がコイルバネ２０上端外周の巻き線間に係合して係合保持されている。
【００３２】
ランプソケット１の口金部８には、開口側から低面に向けて軸方向に延びる一対の案内溝２４ａ，２４ｂと、これら両案内溝２４ａ，２４ｂ端部の片側に連続して連通形成された係合溝２６ａ，２６ｂとから成る凹状係合部２８を有し、これら凹状係合部２８は口金部８の中心軸に対し点対称構造で構成されている。
【００３３】
一方、ランプ２の口金部５の半径方向両側には、中心軸に対し点対称に突出する突状係合部となる一対の突状片３２が設けられており、ランプソケット１の口金部８に形成される一対の凹状係合部２８に対応し、口金部５の下端には中心電極３０が設けられている。
【００３４】
そして、上記のように構成されたハウジング４は、ランプソケット１の下方に合成樹脂で一体的にモールド成形された円板状の保持ベース３４の上面または下面が、庫内の取付け板Ｐ１またはＰ２に取付けられ、リード線１２ａ、１２ｂは絶縁状態で外部の電源に接続される。
【００３５】
次に、ランプソケットの作用につき説明する。
【００３６】
先ず、ランプ２をハウジング４の開口部６内に装着する際は、ランプ２口金部５の両側突状片３２をランプソケット１の口金部８の係合溝２６ａ，２６ｂに係合させて、ランプ２の中心電極３０がこの口金部８底面の中心電極１０に当接するまで内部に挿入する。
【００３７】
この状態では、中心電極１０がランプ２の中心電極３０により押圧変形するまで押し込まれ、ランプ２を一方向に回転させるとランプ２の口金部５外周に設けた一対の突状片３２が係合溝２６ａ，２６ｂに移動し係合溝端部に当接して停止する。
【００３８】
そこで、ランプ２の押圧力を人為的に開放すると、ランプ２は、その中心電極３０がランプソケット１の中心電極１０となるコイルバネ２０の付勢力により、キャップ体２２を介して押圧付勢された状態で係合溝２６ａ，２６ｂに係合し一対の突状片３２を介して保持される。
【００３９】
従って、上記の実施例のように構成された防爆型ランプソケットによれば、ランプソケット１の開口部６から挿入されたランプ２は、軸方向の移動と所定方向への回転による単純動作によって一対の突状片３２がランプソケット１口金部８の係合溝２６ａ，２６ｂに係合した状態で、ランプ２の中心電極３０がランプソケット口金部８の中心電極１０に押圧付勢された状態で係合保持されるので、ランプ２の中心電極３０とランプソケット口金部８の中心電極１０との接触が一層確実となり、火花などの発生を防止し安全性を向上することが可能となる。
【００４０】
また、ランプソケット１に装着されるランプ２の中心電極３０がキャップ体２２の接触面となる底面を介して押圧付勢されるので、ランプ２の中心電極３０の位置が中心に一致しない場合でも、確実に接触し押圧力を有効に伝達することができる。
【００４１】
更に、キャップ体２２は、外周からのカシメ加工により内周壁に形成されるリング状の突状がコイルバネ２０上端外周の巻き線間に係合して係合保持されるので、接合材または接合部材を用いずに、内壁に形成される突状によりキャップ体をコイルバネの上端外周に確実に係合保持することができる。
【実施例２】
【００４２】
次に、実施例２に係る防爆型ランプソケットに付き図５及び図６を参照して説明する。図５は実施例２におけるランプが装着された防爆型ランプソケットの断面図、図６（ａ）〜（ｄ）はキャップ体を展開金属板から形成する成形工程の説明図である。尚、上記実施例と同一構成部分に付いては同一符号を付してその説明を省略する。
【００４３】
実施例２の防爆型ランプソケット１’は、キャップ体の構成のみが異なるもので、符号２２’で示されている。このキャップ体２２’は、有底の筒状体で構成されており、円筒体３６と、この円筒体３６の一端開口を覆うようにコイルバネ２０の外形と同径または大径に形成された円形の蓋板３８とから構成され、コイルバネ２０上部内周に円筒体３６が挿嵌されると共にコイルバネ２０の上端に蓋板３８が当接した状態で装着されている。
【００４４】
次に、キャップ体２２’の成形ならびに装着工程に付き説明する。このキャップ体２２’は、図６（ａ）に示されるように、例えばプレスの打抜き成形により導電性を有する展開金属板３５が形成されており、この展開金属板３５は、略矩形状に形成された横長板３５ａと、該横長板３５ａの長手方向一側に一体的に突設した円形板３５ｂとから構成されている。
【００４５】
次に、展開金属板３５の横長板３５ａを、図６（ｂ）に示す円筒体３６として折曲形成して、この円筒体３６を図６（ｃ）に示すようにコイルバネ２０の内周に挿嵌し、最後に円形板３５ｂを折曲線Ｌにより円筒軸に対し直角に折り曲げてランプ２の中心電極３０と接触する蓋板３８として構成し、この蓋板３８をコイルバネ２０上端に当接させた状態で図６（ｄ）に示されるキャップ体２２’の装着作業が完了する。
【００４６】
以上、本考案の実施例を図面により説明してきたが、具体的な構成はこれら実施例１、２に限られるものではなく、例えば上記実施例１、２では、ランプソケット１の口金部８に凹状係合部２８を形成すると共に、ランプ２の口金部５に突状係合部となる一対の突状片３２を設けた構成に付き説明したが、この凹状係合部をランプ２の口金部５に形成すると共に、突状係合部となる一対の突状片をランプソケット１の口金部８に設けることもでき、本考案の要旨を逸脱しない範囲における変更や追加があっても本考案に含まれることは勿論である。
【図面の簡単な説明】
【００４７】
【図１】本考案の実施例１におけるランプが装着された防爆型ランプソケットの断面図である。
【図２】ランプが装着される前の状態を示す防爆型ランプソケットの断面図である。
【図３】ランプの口金部とランプソケットの口金部との関係を示す斜視図である。
【図４】装着されるランプ口金部の突状係合部とランプソケット口金部の凹状係合部との関係を示し、（ａ）は側面図、（ｂ）は（ａ）のＡ−Ａ断面図である。
【図５】本考案の実施例２におけるランプが装着された防爆型ランプソケットの断面図である。
【図６】（ａ）〜（ｄ）はキャップ体を展開金属板から形成する成形工程の説明図である。
【図７】（ａ）、（ｂ）は、従来のランプソケットないしランプの中心電極部を示す断面図である。
【符号の説明】
【００４８】
１，１’                ランプソケット（防爆型ランプソケット）
２                      ランプ
４                      ハウジング
５                      口金部
６                      開口部
８                      口金部
１０                    中心電極
１２ａ，１２ｂ          リード線
１４，１５              絶縁板
１６                    固定軸
１８                    半田
２０                    コイルバネ
２２，２２’            キャップ体
２４ａ，２４ｂ          案内溝
２６ａ，２６ｂ          係合溝
２８                    凹状係合部
３０                    中心電極
３２                    突状片（突状係合部）
３４                    保持ベース
３５                    展開金属板
３５ａ                  横長板
３５ｂ                  円形板
３６                    円筒体
３８                    蓋板
Ｌ                      折曲線
Ｐ１，Ｐ２              取付け板
Ｘ                      隙間
【図１】
0003104062.tif 000003
【図２】
0003104062.tif 000004
【図３】
0003104062.tif 000005
【図４】
0003104062.tif 000006
【図５】
0003104062.tif 000007
【図６】
0003104062.tif 000008
【図７】
0003104062.tif 000009